(57)【要約】【課題】鉄塔表面の塗装作業を手作業ではなく自動化して、短時間で広い面積の塗装を行なえる鉄塔用塗装装置を提供することを目的とする。【解決手段】本発明の鉄塔用塗装装置1は、鉄塔2の外周に上下動可能に配置される枠体3と、鉄塔の外周面を摺動しながら、枠体3を鉄塔2に対して同心上に保持する少なくとも二つのガイドローラ4と、枠体3に取り付けられ、鉄塔の外周面に塗料タンク5内の塗料を噴きつける多数の塗料噴出ノズル61と、枠体3を鉄塔に対して昇降させる駆動手段7とを具える構成とする【選択図】  図１
2005211885.tif 000002
【特許請求の範囲】
【請求項１】
鉄塔の外周に上下動可能に配置される枠体と、
鉄塔の外周面を摺動しながら、枠体を鉄塔に対して同心上に保持する少なくとも二つのガイドローラと、
枠体に取り付けられ、鉄塔の外周面に塗料タンク内の塗料を噴きつける多数の塗料噴出ノズルと、
枠体を鉄塔に対して昇降させる駆動手段とを具えることを特徴とする鉄塔用塗装装置。
【請求項２】
ガイドローラは、鉄塔の径方向に移動可能に設けられていることを特徴とする請求項１に記載の鉄塔用塗装装置。
【請求項３】
鉄塔の外周面に沿う円弧状の塗料パイプを枠体に複数設け、各塗料パイプに複数の塗料噴出ノズルを設けて、塗料パイプを塗料タンクに連通させていることを特徴とする請求項１に記載の鉄塔用塗装装置。
【請求項４】
駆動手段は、枠体に一端部が固定されるワイヤーと、このワイヤーの他端部からワイヤーを巻き取る巻取手段とを具えることを特徴とする請求項１に記載の鉄塔用塗装装置。
【請求項５】
枠体と共に昇降し、枠体が塗装予定箇所の最上部まで上昇したときに、その枠体より下方の鉄塔の外周面全体を覆うことが可能な飛散防止ネットを枠体に取付けていることを特徴とする請求項１に記載の鉄塔用塗装装置。
【発明の詳細な説明】
【技術分野】
【０００１】
本発明は、鉄塔の表面に塗料を塗布するための鉄塔用塗装装置に関するものであって、特に、通信鉄塔の塗装処理に用いる鉄塔用塗装装置に関する。
【背景技術】
【０００２】
通信鉄塔では、発錆を防ぐ目的でその表面を塗装するが、塗装作業は、特許文献１に示すように、塗装装置を用いて手作業で行なわれていた。この塗装装置は、伸縮可能な絶縁操作管の一端側に作業者が保持する保持部を設け、他端側に塗料噴射ノズルを備えるハケが回転可能に取付けられた駆動部が設けられている。
【０００３】
そして、噴射ノズルは、塗料圧送ホースを介して別途設ける塗料タンクに連通している。また、保持部には駆動部内に設けるモータを回転させるスイッチと噴射ノズルから塗料を噴出させるためのスイッチが設けられている。これらスイッチをオン動作することにより、駆動部に設けているハケが回転したり、噴射ノズルから塗料が噴出されるようになっている。
【０００４】
作業者は、ハケを回転させながら塗料を鉄塔の塗装面に向けて噴霧することにより、絶縁操作管を手作業で動かして鉄塔の表面を塗装していく。
【０００５】
【特許文献１】特開平７−１５５６７５号公報
【発明の開示】
【発明が解決しようとする課題】
【０００６】
しかしながら、鉄塔の塗装作業は、高所作業となる上、前記した塗装装置は重量が重たく、作業者自らがこの重たい塗装装置を持った状態で塗装作業を行なうには危険性がある。
【０００７】
また、絶縁操作管の先端部に設けた噴射ノズルのみで塗装作業を行なうので、塗装する面積が広い場合には、限られた作業人数では作業能力に限界があり、作業時間も長時間を要する。
【０００８】
本発明は、上記問題に鑑み、鉄塔表面の塗装作業を手作業ではなく自動化して、短時間で広い面積の塗装が行なえる鉄塔用塗装装置を提供することを目的とする。
【課題を解決するための手段】
【０００９】
本発明の鉄塔用塗装装置は、鉄塔の外周に上下動可能に配置される枠体と、鉄塔の外周面を摺動しながら、枠体を鉄塔に対して同心上に保持する少なくとも二つのガイドローラと、枠体に取り付けられ、鉄塔の外周面に塗料タンク内の塗料を噴きつける多数の塗料噴出ノズルと、枠体を鉄塔に対して昇降させる駆動手段とを具える構成とすることにより上記目的を達成できる。
【００１０】
本発明では、例えば、枠体を駆動手段により鉄塔の上部まで上げておいて、ガイドローラを用いて鉄塔の外周面に枠体を保持しながら枠体を降下させていく。そして、枠体を降下させながら塗料噴出ノズルから塗料を鉄塔の外周面に噴きつけていくことにより、鉄塔外周面が上部から下部に至るまで順次塗装される。
【００１１】
本発明では、塗料噴出ノズルは、鉄塔の周方向に等間隔で設けることが好ましい。塗料噴出ノズルから噴出された塗料による塗布面が周方向に隣接する他の塗料噴出ノズルから噴出された塗料による塗布面と鉄塔の周方向端部において重なるように塗料噴出ノズルの個数が決定される。
【００１２】
本発明は、鉄塔の外周面に沿う円弧状の塗料パイプを枠体に複数設け、各塗料パイプに複数の塗料噴出ノズルを設けて、塗料パイプを塗料タンクに連通させることが好ましい。この塗料パイプを介して塗料タンク内の塗料を塗料噴出ノズルから噴出させることができる。
【００１３】
また、ガイドローラは、鉄塔の径方向に移動可能となるように設けることが好ましい。具体的には、ガイドローラを枠体に固定する際、枠体とガイドローラとの間にコイルばねなどの弾性部材とリンク機構を介して取り付ける。この際、弾性部材は、ガイドローラのローラ面を鉄塔の外周面に押し付ける方向に付勢させる。
【００１４】
このように移動可能な構成とすることにより、鉄塔の外径の大きさに応じてガイドローラのローラ面を確実に鉄塔の外周面に接触させることができる。その際、枠体の内径は、大きいサイズの鉄塔の外径に合わせておく。
【００１５】
枠体を昇降させる駆動手段は、枠体に一端部が固定されるワイヤーと、このワイヤーの他端部からワイヤーを巻き取る巻取手段とを具える構成とすることができる。
【００１６】
巻取手段は、例えば巻取ウィンチが挙げられる。巻取手段は、鉄塔の上部に配置させてもよいし、地面に配置させるようにしてもよい。地面に巻取手段を配置する場合には、鉄塔の上部にワイヤー用の滑車を設ける。さらに、枠体は、２本以上のワイヤーで吊り上げるようにすることが安定性の面で好ましい。
【００１７】
また、枠体には、枠体と共に昇降し、枠体が塗装予定箇所の最上部まで上昇したときに、その枠体より下方の鉄塔の外周面全体を覆うことが可能な飛散防止ネットを取付けることが好ましい。
【００１８】
この飛散防止ネットは、枠体の昇降動作に合わせて、その枠体の位置より下方の鉄塔外周面全体をネットで覆うことができるので、塗料噴出ノズルから噴出された塗料が飛散するのを確実に防止できる。
【発明の効果】
【００１９】
本発明の鉄塔用塗装装置によれば、枠体をガイドローラで鉄塔外周面に保持させながら駆動手段により鉄塔に対して昇降させて、塗料噴出ノズルから鉄塔の外周面に塗料を噴きつけることができる。その結果、短時間で塗装できる面積が大きく、高所において塗装を行なうにもかかわらず安全に鉄塔の塗装が行なえる。
【発明を実施するための最良の形態】
【００２０】
本発明の鉄塔用塗装装置の実施形態について、図面に基づいて説明する。本発明の鉄塔用塗装装置1は、図５に示すように、円柱の鉄塔2の外周面を塗装するために用いられる。
【００２１】
鉄塔用塗装装置1は、図１から図４に示すように、鉄塔2の外周面全周を囲み、鉄塔2に対して上下動可能に配置される枠体3を具える。この枠体3は、鉄塔2の外周面を摺動しながら、枠体3を鉄塔2に対して同心上に保持する６つのガイドローラ4を具える。さらに、枠体3は、鉄塔2の外周面に塗料タンク5内の塗料を噴きつける多数の塗料噴出ノズル61と、枠体3を鉄塔2に対して昇降させる駆動手段7とを具える。なお、塗料タンク5は、図５に示すように、鉄塔2の上部作業場に配置させている。
【００２２】
枠体3は、円環状の上部枠部31と下部枠部32とを具え、これら枠部31,32は、それぞれ三分割できる構成となっている。そして、これら枠部31,32を複数の長尺な連結部材33で上下に連結している。この連結部材33は、ガイドローラ4を枠体3に固定するためにも用いられる。なお、上部枠部31には、図２の仮想線で示すように、径方向内方に向けて斜め上方に延びる飛散防止カバー34を設けるようにしてもよい。
【００２３】
ガイドローラ4は、鉄塔2の周方向に等間隔で６つ配置されている。それぞれのガイドローラ4は、鉄塔外周面に圧接可能な２つのローラ部41と、これらローラ部41を鉄塔の径方向に移動可能に支持するリンク機構部42とを具える。リンク機構部42は、第１支持部材421と、第１リンク部材422と、第２リンク部材423と、第２支持部材424とを具える。
【００２４】
第１支持部材421は、一端部にローラ部41が回転可能に支持される断面Ｕ字状の支持部を有する長尺な部材で構成される。第１リンク部材422は、長尺な板状部材からなり、第１支持部材421の長手方向中間部に一端が揺動可能に支持される。第２リンク部材423は、長尺な板状部材からなり、第１支持部材421の長手方向他端部に一端が揺動可能に支持される。
【００２５】
第２支持部材424は、平面視八角形の板材に２枚の長尺板材を所定間隔を開けて平行に突設させて構成されている。この第２支持部材424の長尺板材に第１リンク部材422と第２リンク部材423の他端が揺動可能に支持される。
【００２６】
さらに、第２リンク部材423の長手方向中間部と、第２支持部材424における鉄塔径方向内方側端部とをコイルばね425で連結している。このコイルばね425によりローラ部41が鉄塔の外周面に向けて付勢される。
【００２７】
本実施形態では、複数のガイドローラ4で枠体3を鉄塔2に保持しながらローラ部41の回転で枠体3を昇降させることができる。しかも、ガイドローラ4は、リンク機構部42により鉄塔の径方向に移動可能な構成になっているため、鉄塔の外径の大きさに応じてローラ部41を確実に鉄塔の外周面に接触させることができる。なお、上下枠部31,32の内径は、大きいサイズの鉄塔の外径に合わせておく。
【００２８】
本実施形態では、塗料噴出ノズル61は、鉄塔の外周面に沿う円弧状の塗料パイプ62に設けている。塗料パイプ62は、枠体3の上部枠部31の上面に円を描くように３本取付けられており、１本の塗料パイプ62に対して６つの塗料噴出ノズル61が等間隔で設けられている。
【００２９】
このとき、塗料噴出ノズル61から噴出された塗料による塗布面が、周方向に隣接する他のノズルから噴出された塗料による塗布面と鉄塔の周方向端部において重なるように塗料噴出ノズル61が塗料パイプ62に配置される。このように、塗料噴出ノズル61を配置させることにより、全ての塗料噴出ノズル64から塗料が噴出されると、鉄塔の外周面が全周にわたって一度に塗布することができる。
【００３０】
さらに、各塗料パイプ62は、図５に示すように、鉄塔の上部作業場に配置される塗料タンク5と塗料ホース63を介して連通されている。
【００３１】
塗料噴出ノズル61からの塗料の噴出を駆動制御するには、図示していないが、塗料タンク5に接続されるポンプに駆動制御装置を接続するようになっている。なお、ポンプと駆動制御装置は鉄塔の上部作業場に配置される。作業者が駆動制御部を制御することによりポンプが作動し、塗料タンク5内の塗料が塗料噴出ノズル61から鉄塔に噴きつけられる。
【００３２】
枠体3を昇降させる駆動手段7は、図５に示すように、枠体3に一端部が固定されるワイヤー71と、このワイヤー71の他端部からワイヤーを巻き取る巻取手段72とを具える。
【００３３】
巻取手段72は、２つの巻取ウィンチで構成されており、地面に配置させている。そして、鉄塔の上部にワイヤー用の滑車73がそれぞれの巻取ウィンチ72に対して設けられており、枠体3を、２本のワイヤー71で滑車73を介して吊り上げるようになっている。
【００３４】
また、枠体3には、枠体3と共に昇降し、枠体3が塗装予定箇所の最上部まで上昇したときに、その枠体3より下方の鉄塔の外周面全体を覆う飛散防止ネット8を取付けている。
【００３５】
この飛散防止ネット8は、枠体3の昇降動作に合わせて、その枠体3の位置より下方の鉄塔外周面全体をネットで覆うことができるので、塗料噴出ノズル61から噴出された塗料が飛散するのを確実に防止できる。
【００３６】
本実施形態では、枠体3を駆動手段7により鉄塔2の上部まで上げておいて、ガイドローラ4で枠体3を支持しながら枠体3を下降させつつ、塗料噴出ノズル61から塗料を鉄塔の外周面に噴きつけていくことにより、鉄塔2の外周面の塗装が鉄塔の上部から下部に至るまで行なわれる。
【産業上の利用可能性】
【００３７】
本発明の鉄塔用塗装装置は、特に円柱鉄塔の塗装に好適である。
【図面の簡単な説明】
【００３８】
【図１】本発明の鉄塔用塗装装置の平面図である。
【図２】本発明の鉄塔用塗装装置の側面図である。
【図３】本発明の鉄塔用塗装装置の要部の部分平面図である。
【図４】本発明の鉄塔用塗装装置の要部の部分縦断面図である。
【図５】本発明の鉄塔用塗装装置を鉄塔に配置させた状態を示す説明図である。
【符号の説明】
【００３９】
1  鉄塔用塗装装置      2  鉄塔
3  枠体      31  上部枠部      32  下部枠部      33  連結部材      
34  飛散防止カバー
4  ガイドローラ      41  ローラ部      
42  リンク機構部      421  第１支持部材      422  第１リンク部材
423  第２リンク部材      424  第２支持部材      425  コイルばね
5  塗料タンク      
61  塗料噴出ノズル      62  塗料パイプ      63  塗料ホース
7  駆動手段      71  ワイヤー      72  巻取手段（巻取ウィンチ）      
73  滑車
8  飛散防止ネット
【図１】
2005211885.tif 000003
【図２】
2005211885.tif 000004
【図３】
2005211885.tif 000005
【図４】
2005211885.tif 000006
【図５】
2005211885.tif 000007